(57)【要約】      （修正有）【課題】干渉バックグラウンド電流を抑制する方法を提供する。【解決手段】被験試料１２６中の少なくとも１種類の分析物を検出する方法であって、下記の工程を含む；ａ）被験試料を、（ｉ）第１電極１１２に接触しており、その分析物の存在下で少なくとも１つの電気化学的特性を変化させる活性化学マトリックス１１６に接触させる；（ｉｉ）第２電極１１４に接触している不活性化学マトリックス１１８に接触させる；ｂ）第１電極、第２電極、ならびに活性化学マトリックスおよび不活性化学マトリックスを含む電気回路を閉じ、続いてその少なくとも１つの電気化学的特性の第１値を決定する；ｃ）ｂ）の電気回路の電気極性を逆転させ、続いてその少なくとも１つの電気化学的特性の第２値を決定する；そしてｄ）第１値および第２値に基づいてその少なくとも１種類の分析物を検出する。【選択図】図１
2020064070.tif 000002
【特許請求の範囲】
【請求項１】
少なくとも１種類の分析物を決定するためのセンサー素子（１１０）であって、一対の電極（１１２，１１４）、少なくとも活性化学マトリックスおよび不活性化学マトリックス（１１６，１１８）を含み、前記活性化学マトリックス（１１６）は前記分析物の存在下で活性である酵素活性に依存して少なくとも１つの電気化学的特性を変化させ、
（ｉ）前記電極対（１１２，１１４）は、前記センサー素子（１１０）中に存在する可能性のあるいずれの追加電極からも電気絶縁された２つの電極からなり、
（ｉｉ）前記活性化学マトリックス（１１６）は前記酵素活性を含み、前記不活性化学マトリックス（１１８）は前記酵素活性を含まず、および
（ｉｉｉ）前記電極対の第１電極（１１２）は前記活性化学マトリックス（１１６）に接触しており、前記電極対の第２電極（１１４）は前記不活性化学マトリックス（１１８）に接触している、
前記センサー素子。
【請求項２】
活性化学マトリックス（１１６）の組成が前記酵素活性の存在によってのみ不活性化学マトリックス（１１８）の組成と異なる、請求項１に記載のセンサー素子（１１０）。
【請求項３】
前記第１電極（１１２）と前記第２電極（１１４）が、体液の試料を受容するようにおよび／または体液の試料を毛管力により輸送するように適合させたキャピラリー素子の反対側に配置される、請求項１または２に記載のセンサー素子（１１０）。
【請求項４】
前記第１電極（１１２）と前記第２電極（１１４）が並行して配列される、請求項３に記載のセンサー素子（１１０）。
【請求項５】
前記センサー素子（１１０）が対面センサー素子である、請求項１〜４のいずれか１項に記載のセンサー素子（１１０）。
【請求項６】
前記第１電極（１１２）および前記第２電極（１１４）は両方とも、それらの各支持層としての基材（１２４）上にあり、前記第１電極（１１２）および前記第２電極（１１４）が向き合った方向に配置される、請求項１〜５のいずれか１項に記載のセンサー素子（１１０）。
【請求項７】
前記第１電極（１１２）および前記第２電極（１１４）が、層厚が最大で２０％異なる化学マトリックス（１１６，１１８）で覆われている、請求項１〜６のいずれか１項に記載のセンサー素子（１１０）。
【請求項８】
前記化学マトリックス（１１６，１１８）がさらに少なくとも１種類の酸化還元補因子を含む、請求項１〜７のいずれか１項に記載のセンサー素子（１１０）。
【請求項９】
厳密に一対の電極（１１２、１１４）を含む、請求項１〜８のいずれか１項に記載のセンサー素子（１１０）。
【請求項１０】
前記第１電極（１１２）および前記第２電極（１１４）が、被験試料をセンサー素子に適用した後に電気回路の一部になるように適合させたものである、請求項１〜９のいずれか１項に記載のセンサー素子（１１０）。
【請求項１１】
少なくとも１種類の分析物がグルコースであり、酵素活性を有するポリペプチドがグルコースデヒドロゲナーゼである、請求項１〜１０のいずれか１項に記載のセンサー素子（１１０）。
【請求項１２】
前記センサー素子（１１０）が基準電極を含まない、請求項１〜１１のいずれか１項に記載のセンサー素子（１１０）。
【請求項１３】
被験試料中の少なくとも１種類の分析物を検出するための検査デバイス（１３２）であって、
（ｉ）請求項１〜１２のいずれか１項に記載のセンサー素子（１１０）のための容器、ならびに、
（ｉｉ）下記工程：
ａ）被験試料を（ｉ）活性化学マトリックス（１１６）；および（ｉｉ）不活性化学マトリックス（１１８）に接触させる；
ｂ）第１電極（１１２）、第２電極（１１４）、前記活性化学マトリックス（１１６）および前記不活性化学マトリックス（１１８）を含む電気回路を閉じ、続いてその少なくとも１つの電気化学的特性の第１値を決定する；
ｃ）前記工程ｂ）の電気回路の電気極性を逆転させ、続いてその少なくとも１つの電気化学的特性の第２値を決定する；ならびに、
ｄ）前記第１値および前記第２値に基づいて前記少なくとも１種類の分析物を検出する；
を含む方法に従って、前記センサー素子（１１０）に含まれる前記活性化学マトリックス（１１６）の電気化学的特性を決定するための手段、
を含む、前記検査デバイス。
【請求項１４】
（ｉ）請求項１〜１２のいずれか１項に記載のセンサー素子（１１０）、ならびに
（ｉｉ）前記ｉ）のセンサー素子（１１０）のための容器、および請求項１２に記載の方法に従って、前記センサー素子（１１０）に含まれる化学マトリックスの電気化学的特性を決定するための手段を含む、検査デバイス、
を含む、検査システム。
【請求項１５】
少なくとも１種類の分析物を検出するための、請求項１〜１２のいずれか１項に記載のセンサー素子（１１０）、請求項１３に記載の検査デバイス、または請求項１４に記載の検査システムの使用。
【発明の詳細な説明】
【技術分野】
【０００１】
本発明は、被験試料中の少なくとも１種類の分析物を検出する方法であって、下記の工程を含む方法に関する：ａ）被験試料を、（ｉ）その分析物の存在下で活性である酵素活性に依存して少なくとも１つの電気化学的特性を変化させる活性化学マトリックスに接触させ、活性化学マトリックスは第１電極に接触している；かつ（ｉｉ）不活性化学マトリックスに接触させ、不活性化学マトリックスは第２電極に接触している；ｂ）第１電極、第２電極、ならびに活性化学マトリックスおよび不活性化学マトリックスを含む電気回路を閉じ、続いてその少なくとも１つの電気化学的特性の第１値を決定する；ｃ）ｂ）の電気回路の電気極性を逆転させ、続いてその少なくとも１つの電気化学的特性の第２値を決定する；そしてｄ）第１値および第２値に基づいてその少なくとも１種類の分析物を検出する。さらに、本発明は、本発明の方法を利用するために適合させた検査デバイスおよび検査システムに関する。本発明はさらに、少なくとも１種類の分析物を決定するためのセンサー素子であって、一対の電極ならびに少なくとも活性化学マトリックスおよび不活性化学マトリックスを含み、活性化学マトリックスはその分析物の存在下で活性である酵素活性に依存して少なくとも１つの電気化学的特性を変化させ、（ｉ）電極対は他の電極から電気絶縁された２つの電極からなり、（ｉｉ）活性化学マトリックスはその酵素活性を含み、不活性化学マトリックスはその酵素活性を含まず、かつ（ｉｉｉ）電極対の第１電極は活性化学マトリックスに接触しており、電極対の第２電極は不活性化学マトリックスに接触している、センサー素子に関する。
【背景技術】
【０００２】
医療診断の分野においては、多くの場合、体液、たとえば血液、間質液、尿、唾液または他のタイプの体液の被験試料中の１種類以上の分析物を検出しなければならない。検出すべき分析物の例は、これらの体液中に一般的に存在するグルコース、トリグリセリド、ラクテート、コレステロールまたは他のタイプの分析物である。分析物の濃度および／または存在に従って、必要であれば適宜な処理を選択できる。
【０００３】
一般に、当業者に知られているデバイスおよび方法は、検出すべき分析物の存在下で１以上の検出可能な検出反応、たとえば光学的または電気化学的に検出可能な検出反応を行なうことができる１種類以上の検査化学物質を含むセンサー素子（たとえば、テストストリップ）を利用する。これらの検査化学物質およびそれらに関連する方法に関して、たとえばJ. Hoenes et al. (The Technology Behind Glucose Meters: Test Strips, Diabetes Technology & Therapeutics, Volume 10, Supplement 1, 2008, S-10 to S-26)、US 2009/0246808 Al、およびHabermueller et al. ((2000), Fresenius J Anal Chem 366 :560)を参照できる。グルコースの電気化学的検出については、たとえばHeller & Feldman (2008), Chem. Rev. 108: 2482に総説が示されている。作用電極およびカウンター電極(counter electrode)、ならびに場合により基準電極を利用する測定セットアップは、たとえば文書WO 2007/071562 A1に開示された。
【０００４】
電流測定型グルコースバイオセンサーの一般例は、グルコースデヒドロゲナーゼ酵素を、結合した補因子ＰＱＱまたはＦＡＤ、ならびに電子受容体および電子シャトルとしてのメディエーターと共に、貴金属または黒鉛電極との組合わせで含む。生じる電極分極が血液被験試料中に存在する他の酸化還元活性成分、たとえばアスコルビン酸または尿酸を酸化しないほど十分に低くなるように、メディエーターはしばしば低い酸化電位をもつように選択される。それらのメディエーターの欠点は、上記の特性のため、血液被験試料中に含有されるアスコルビン酸のような還元剤によって容易に還元される可能性があることである。一般にディスポーザブルテストストリップをベースとする専門的血糖測定システムが採用される入院患者からの血液被験試料においては、アスコルビン酸濃度が比較的高く、通常の血糖濃度に匹敵するレベルに達する可能性がある。その結果、高い陽性に偏向した読みが生じる。
【０００５】
一時的にのみ結合する補因子を含む酵素システムの場合、補因子自体が電子シャトルとして作動することができ、原則として余分な酸化還元メディエーターは必要ない。その例は、ＮＡＤを補因子として含むグルコースデヒドロゲナーゼ酵素である。その酵素反応によりＮＡＤは還元されてＮＡＤＨになる。次いで、ＮＡＤＨは拡散して電極へ達し、酸化されてラジカルカチオンになる。この場合も、生じる電流をグルコース濃度の尺度として測定することができる。欠点は、ＮＡＤＨ電極反応が高い酸化電位を必要とすることであり、これは血液被験試料中の干渉物質、たとえばアスコルビン酸または尿酸の酸化をも生じる。これも高い陽性に偏向した読みの原因となる。
【０００６】
前記の問題を克服するために、２つの作用電極および１つの基準電極を備えたシステムがWO2005/045416から知られている。第１作用電極は、酵素系およびメディエーターを活
性成分として含有する試薬で覆われている。第２作用電極は、酵素系以外を除く同じ試薬で覆われている。両電極の試薬層は、電極上方のキュピラリー測定チャンバーを満たす同じ血液被験試料で湿潤する。第１相で、カウンター電極としての基準電極と、酵素を含まない試薬で覆われた第２作用電極との間に、電圧を印加する。次いで、応答電流を測定する。その後、カウンター電極としての基準電極と、酵素系を含む試薬を備えた第１作用電極との間に、電圧を印加する。次いで、同様に電流を測定する。血液被験試料中に還元剤または電気活性成分が存在すれば、それはメディエーターを還元するか、あるいは作用電極において直接酸化されるであろう。両方の場合とも、干渉バックグラウンド電流が両方の作用電極に生じる。他方で、グルコースとの反応は酵素を含有する試薬で覆われた電極において起きるにすぎない。最終結果を得るために、次いで両方の作用電極で測定された電流の差を計算する。その計算により、電極からの干渉作用が互いに消去され、したがってグルコース反応からの応答のみが残る。この方法の限界は、両方の作用電極が個々のノイズを計算結果に加えることである。通常は、生じる誤差は個々の誤差の幾何学的な和である。したがって、達成できる検査精度が制限される。この解決法の他の欠点は、２より多い電極を備えたテストストリップが製造法の複雑さおよびコストを増大させることである。類似の方法で、EP 2 767 826 A1は、２つの作用電極および基準電極を含む連続グル
コースセンサーを提唱した；その場合、第１作用電極はセンサー膜の活性酵素部分で覆われ、これに対し第２作用電極はセンサー膜の不活性酵素部分または非酵素部分で覆われている。
【先行技術文献】
【特許文献】
【０００７】
【特許文献１】US 2009/0246808 Al
【特許文献２】WO 2007/071562 A1
【特許文献３】WO2005/045416
【特許文献４】EP 2 767 826 A1
【非特許文献】
【０００８】
【非特許文献１】Hoenes et al. (The Technology Behind Glucose Meters: Test Strips, Diabetes Technology & Therapeutics, Volume 10, Supplement 1, 2008, S-10 to S-26)
【非特許文献２】Habermueller et al. ((2000), Fresenius J Anal Chem 366 :560)
【非特許文献３】Heller & Feldman (2008), Chem. Rev. 108: 2482
【発明の概要】
【発明が解決しようとする課題】
【０００９】
したがって本発明の目的は、前記のニーズに応じて先行技術の欠点を少なくとも一部は避ける手段および方法を提供することである。
【課題を解決するための手段】
【００１０】
この課題は、本発明のセンサー素子により、また本発明の方法ならびに検査デバイスおよび検査システムにより解決される。個別の様式またはいずれか任意の組合わせで実現できる態様を従属請求項に挙げる。
【００１１】
したがって、本発明は、少なくとも１種類の分析物を決定するためのセンサー素子であって、一対の電極ならびに少なくとも活性化学マトリックスおよび不活性化学マトリックスを含み、活性化学マトリックスはその分析物の存在下で活性である酵素活性に依存して少なくとも１つの電気化学的特性を変化させ、
（ｉ）電極対は他の電極から電気絶縁された２つの電極からなり、
（ｉｉ）活性化学マトリックスはその酵素活性を含み、不活性化学マトリックスはその酵素活性を含まず、かつ
（ｉｉｉ）電極対の第１電極は活性化学マトリックスに接触しており、電極対の第２電極は不活性化学マトリックスに接触している、
センサー素子に関する。
【００１２】
本明細書中で用いる用語“have（有する）”、“comprise（含む）”もしくは“include（含有する）”、またはそのいずれか任意の文法的変形は、非排他的に用いられる。よって、これらの用語は、これに関して記載される実体にこれらの用語により導入される特徴のほかにさらなる特徴が存在しない状況、および１以上のさらなる特徴が存在する状況の両方を表わすことができる。一例として、“ＡはＢを有する”、“ＡはＢを含む”および“ＡはＢを含有する”という表現は、Ａ中にＢのほかに他の要素が存在しない状況（すなわち、唯一かつ排他的にＢからなる状況）、および実体Ａ中にＢのほかに１以上のさらなる要素、たとえば要素Ｃ、要素ＣおよびＤ、またはさらなる要素すら存在する状況の両方を表わすことができる。
【００１３】
さらに、本明細書中で用いる用語“好ましくは”、“より好ましくは”、“最も好ましくは”、“特に”、“より特別には”、“具体的には”、“より具体的には”、または類似の用語は、任意選択的特徴との組合わせで、別の可能性を制限することなく用いられる。よって、これらの用語により導入される特徴は任意選択的特徴であり、特許請求の範囲を多少とも限定するためのものではない。当業者が認識するように、本発明は別の特徴にを用いて実施できる。同様に、“本発明のある態様において”または類似の表現により導入される特徴は任意選択的特徴であって、本発明の別態様に関して何ら限定せず、そのようにして導入された特徴と本発明の他の任意選択的または非任意選択的特徴との組合わせの可能性に関して何ら限定しないものとする。
【００１４】
本明細書中で用いる用語“センサー素子”は、少なくとも本明細書に記載する構成要素を含む素子に関する。センサー素子がさらなる構成要素、たとえば限定ではなく、センサー素子の他の構成要素を相互に保持するキャリア素子（または“基材”）；センサー素子を測定デバイスに接続する電極接点；対象の身体に切開部を作成するための１以上のランセット；流体被験試料を電極へガイドするための１以上のキャピラリー素子を含むことができるのは当業者により理解される。
【００１５】
本発明のセンサー素子は、本明細書中で後記に述べる少なくとも２種類の化学マトリックスを含む：後記に詳述するように、分析物の存在下で活性である酵素活性を含む活性化学マトリックス、およびその酵素活性を含まない不活性化学マトリックス。
【００１６】
ある態様において、センサー素子はさらに基材を含む。本明細書中で用いる用語“基材(substrate)”はキャリア素子を表わし、それは基本的に任意の形状、たとえばストリッ
プ形状をもつことができる。ある態様において、基材はフレキシブル基材である。ある態様において、基材は１、２またはそれ以上の層をもつ層セットアップ、ある態様においてはフレキシブル層セットアップを含む。基材は一般に、いずれか任意の基材材料、たとえばプラスチック材料および／または積層材料および／または紙材料および／またはセラミック材料で作製できる。代わりに、またはさらに、他の材料、たとえば金属または薄膜セットアップを使用できる。
【００１７】
本明細書中で用いる用語“決定する”は、被験試料中の分析物の量を、ある態様においては半定量的に、またはさらなる態様においては定量的に測定することに関する。ある態様において、決定することは、被験試料を化学マトリックスと接触させた際にその化学マトリックスにおいて放出または消費された電子の量を推定することを含む。化学マトリックスにおいて放出または消費された電子の量を推定する方法は先行技術から既知である。ある態様において、放出または消費された電子の量は電気化学センサーにより推定される。
【００１８】
本明細書中で用いる用語“分析物(analyte)”は、液体中に存在する化合物に関する。
ある態様において、その液体は本明細書のいずれかの箇所で詳述する被験試料である。ある態様において、分析物は有機分子、さらなる態様においては本発明に従って検査化学物質の存在下で酸化還元反応を受けることができる有機分子である。ある態様において、分析物は対象の代謝の分子、すなわち対象の少なくとも１つの組織において行なわれる少なくとも１つの化学反応において産生および／または消費される分子である。また、ある態様において、分析物は低分子量化合物、さらなる態様においては５０００ｕ（１０００Ｄａ；１．６６×１０−２４ｋｇ）未満、さらなる態様においては１０００ｕ未満、さらなる態様においては５００ｕの分子質量をもつ化合物である。すなわち、ある態様において、分析物は生体高分子ではない。さらなる態様において、分析物はマレート、エタノール、アスコルビン酸、コレステロール、グリセロール、尿素、３−ヒドロキシブチレート、ラクテート、ピルベート、ケトン類、クレアチニンなどからなるリストから選択される；さらに、さらなる態様において、分析物はグルコースである。さらなる態様において、分析物は血糖（血中グルコース）である。ある態様において、分析物は血糖であり、決定すべき実際の濃度は少なくとも１０ｍｇ／ｄＬ、少なくとも５０ｍｇ／ｄＬ、少なくとも６０ｍｇ／ｄＬ、少なくとも７０ｍｇ／ｄＬ、少なくとも８０ｍｇ／ｄＬ、少なくとも９０ｍｇ／ｄＬ、または少なくとも１００ｍｇ／ｄＬである。ある態様において、分析物はグルコースであり、決定すべき実際の濃度は０ｍｇ／ｄＬ〜８００ｍｇ／ｄＬ、またはさらなる態様においては１０ｍｇ／ｄＬ〜６００ｍｇ／ｄＬ、またはさらなる態様においては５０ｍｇ／ｄＬ〜３００ｍｇ／ｄＬの範囲である。
【００１９】
用語“電極”は、当業者により理解されており、センサー素子の導電体を表わし、それは本発明の化学マトリックスと接触するように適合される。ある態様において、電極はその電極が少なくとも１つの化学マトリックスと接触するように配置される；さらなる態様において、電極は厳密に１つの化学マトリックスと接触している。ある態様において、電極は分析物と、ある態様においては本明細書のいずれかの箇所に記載する体液被験試料と接触するように適合される。電極は、化学マトリックスおよび／または分析物を含む液体と完全に接触しているかあるいは接触する１以上の電極場(electrode field)であっても
よく、あるいはそれを含むことができる。電極場のうち１以上が１以上の適宜な接点リード線(contact lead)（導電路とも呼ばれる）を介して接触していてもよい。ある態様において、電極は厳密に１つの連続した表面領域をもち、それを化学マトリックスおよび／または体液と接触するように適合させることができる。それぞれの電極を少なくとも１つの
接点リード線により電気的に接続することができる。同じタイプの電極が１以上備えられている場合、それらの電極を１以上の接点リード線により接続することができる。よって、同じタイプの２以上の電極を１つの同じ接点リード線により電気的に接続することができる。あるいは、電極を接続するために別個の接点リード線、たとえば、電極当たり少なくとも１つの別個の接点リード線を備えることができる。ある態様において、電極はその電極において電気化学反応が起きる形態である。さらなる態様において、電極はその電極において酸化反応および／または還元反応が起きる形態である。
【００２０】
ある態様において、本発明による一対の電極のうち少なくとも１つ、さらなる態様においては両方の電極が多層セットアップを含み、それは少なくとも１つの導電パッド、および場合により、部分的またはある態様においては完全に導電パッドを覆う少なくとも１つの追加層をもつ。この少なくとも１つの任意選択的追加層は、後記にさらに詳細に概説する少なくとも１つの電極材料を含むことができる。少なくとも１つの導電パッドは、ある態様において、下記の金属：金、ニッケル、銅もしくは白金、または導電性カーボン同素体、たとえば黒鉛もしくはガラス状カーボンのうち１以上を含む。ただし、さらに、または代わりに、他のタイプの金属または導電性材料を使用できる。さらに、多層セットアップは基材への導電パッドの接着を改善するために使用できる。
【００２１】
それぞれの電極の導電パッドを、１以上の電線および／または電気路(electrical via)に、および／または１以上の給電線もしくは導電線に接続することができる。それにより、少なくとも１つの測定デバイス（たとえば、センサー素子とインタラクトする携帯用測定デバイス）にセンサー素子を接続するように適合させたセンサー素子の少なくとも１つの接点パッドに、導電パッドを接続することができる。
【００２２】
本明細書中で用いる用語“電極対”は、被験試料をセンサー素子に適用した後に電気回路の一部になるように適合させた２つの電極に関するものであり、それら２つの電極は本発明のセンサー素子中に存在する可能性のあるいずれの追加電極からも電気絶縁されている。本明細書中で用いる用語“電気絶縁されている”は、センサー素子中に存在する可能性のあるいずれかの追加電極からのその電極対の分離に関するものであり、それにより（ｉ）電極対の第１電極といずれかの追加電極との間の抵抗、および（ｉｉ）電極対の第２電極といずれかの追加電極との間の抵抗は両方とも、被験試料をセンサー素子に適用した後に少なくとも２５ｋΩ、ある態様においては少なくとも５０ｋΩ、さらなる態様においては少なくとも１００ｋΩ、またはさらなる態様においては少なくとも１ＭΩである。ある態様において、被験試料は人血である。ある態様において、本明細書に詳述するようにセンサー素子は厳密に一対の電極を含む。本明細書のいずれかの箇所に詳述するように、電極対の第１電極（本明細書中で“分析電極”と呼ぶ）は活性化学マトリックスに接触し、電極対の第２電極（本明細書中で“制御電極”と呼ぶ）は不活性化学マトリックスに接触している。
【００２３】
ある態様において、本発明の一対の電極の電極は同じ材料（単数または複数）からなる。同様に、ある態様において、一対の電極の電極は同じ有効表面積をもつ。さらなる態様において、一対の電極の電極は本質的に同じ層厚の化学マトリックスで覆われており、“本質的に同じ層厚”は、活性マトリックスと不活性化学マトリックスの間で最大でも２０％、さらなる態様においては最大でも１０％の差を意味する。さらなる態様において、一対の電極の電極は同じ層厚の化学マトリックスで覆われている。
【００２４】
ある態様において、本発明のセンサー素子中の少なくとも一対の電極は、対面(face-to-face)構造に配置される。したがって、第１電極と第２電極は、ある態様において、体液の試料を受容するようにおよび／または体液の試料を毛管力により輸送するように適合させたキャピラリー素子の反対側に配置される。第１電極と第２電極は、ある態様において、第１電極の表面が第２電極の表面に面するように向き合った電極(opposing electrode)として配置される。さらなる態様において、第１電極と第２電極は並行して配列される。さらに、第１電極と第２電極は同じ寸法をもつことができ、かつ非構造化(non-structured)形状をもつことができる。第１電極がキャピラリーの長さ全体にわたって広がっていてもよい。第２電極がキャピラリーの長さ全体にわたって広がっていてもよい。本明細書中で用いる用語“キャピラリーの長さ”は、センサー素子内の１寸法におけるキャピラリーの最大伸長を表わす。ある態様において、キャピラリーはセンサー素子の長手方向に対して直角に伸びており、したがってこの場合はキャピラリーの長さはセンサー素子の長手方向に対して直角なキャピラリーの最大伸長を表わす。別態様において、キャピラリーは検査素子の長手方向に沿って伸びていてもよく、したがってこの場合はキャピラリーの長さはセンサー素子の長手方向に沿ったキャピラリーの最大伸長を表わす。対面センサー素子の第１電極および第２電極は、キャピラリー充填中に第１電極と第２電極が同時に湿潤するように配置される。キャピラリーの充填体積の増分ｄＶ当たりの第１電極の湿潤表面積の増分ｄＡ１は、すべての時点で第２電極の湿潤表面積の増分ｄＡ２と等しいであろう。本明細書中で用いる用語“キャピラリー充填”は、体液の試料を受容するプロセスを表わす。ある態様において、対面センサー素子の第１電極および第２電極ならびに第１電極と第２電極の間のキャピラリーは、電気化学セルを形成する。電気化学セルはキャピラリーの長さ全体にわたって広がっていてもよい。
【００２５】
当業者に知られているように、作用電極という用語は、体液中の少なくとも１種類の分析物を検出するための少なくとも１つの電気化学検出反応を行なうために適合させた電極を表わす。当業者にさらに知られているように、カウンター電極という用語は、作用電極における検出反応に必要な電流のバランスをとるために適合させた少なくとも１つの電気化学的な対向反応(counter reaction)を行なうために適合させた電極を表わす。基準電極という用語は、たとえば一定の電極電位をもつ酸化還元系を供給することによって広範に一定の電極電位を基準電位として供給するために適合させた電極を表わす。本発明によれば、分析物およびバックグラウンド反応により発生する信号の測定に際して、分析電極は作用電極であり、制御電極はカウンター電極である。したがって、バックグラウンド反応のみにより発生する信号の測定に際して、制御電極は作用電極であり、分析電極はカウンター電極である。よって、ある態様において、センサー素子は基準電極を含まない。
【００２６】
本明細書中で用いる用語“対象(subject)”は、脊椎動物に関する。ある態様において
対象は哺乳動物であり、さらなる態様においてはマウス、ラット、ネコ、イヌ、ハムスター、モルモット、ブタ、ヒツジ、ヤギ、ウシまたはウマである。さらに、さらなる態様において、対象は霊長類である。さらなる態様において、対象はヒトである。ある態様において、対象は少なくとも１種類の分析物の、正常からの測定可能な偏差に関連する疾患または状態に罹患しているか、あるいは罹患している疑いがある。
【００２７】
用語“被験試料”は、当業者に理解されており、対象の組織ホモジェネート、組織液（間質液）または体液のいずれかの適切なサイズの一部分に関する。本明細書中で用いる用語“体液”は、本発明の分析物を含むかあるいは含む疑いのあることが知られている対象のすべての体液に関するものであり、血液、血漿、血清、涙液、尿、リンパ液、脳脊髄液、胆汁、便、汗、間質液および唾液を含む。ある態様において、体液は血液、血漿または血清である。体液被験試料は周知の手法で得ることができ、それにはたとえば静脈または動脈の穿刺、上皮穿刺などが含まれる。
【００２８】
本明細書中で用いる用語“化学マトリックス(chemistry matrix)”は、分析物の存在下で活性である酵素活性に依存して少なくとも１つの電気化学的特性を変化させる少なくとも１種類の成分を含む、化合物のマトリックスを表わす。化学マトリックスをデザインする種々の可能性が当技術分野で知られている。これに関して、前記の先行技術文献を参照
できる。具体的には、J. Hoenes et al.: The Technology Behind Glucose Meters: Test
Strips, Diabetes Technology & Therapeutics, Volume 10, Supplement 1, 2008, S-10
to S-26を参照できる。ただし、他のタイプの化学マトリックスも可能である。
【００２９】
ある態様において、本発明の化学マトリックスは、分析物の存在下で少なくとも１つの電気化学的特性を変化させるように適合している。本明細書中で用いる用語“電気化学的特性”は、分析物の存在下で変化し、それをいずれかの種類の電気信号に変換できる、被験化学物質のいずれかの特性に関する。ある態様において、電気化学的特性および／またはそれから発生できる信号の変化は、被験試料中の分析物の濃度に比例する。ある態様において、電気化学的特性は、本明細書に記載する化学マトリックスの少なくとも１種類の成分、ある態様においては指示試薬(indicator reagent)の酸化還元状態である。したが
って、ある態様において、検出反応は酸化還元反応である。さらなる態様において、検出反応は、酸化還元等価物および／または電子を、中間体および／または生成物として生成する。さらなる態様において、電気化学的特性は還元または酸化された本明細書に記載する指示試薬の濃度であり、すなわち、ある態様においては測定可能な特性は検査化学物質中に含まれる指示試薬の酸化還元状態である。前記に定める電気化学的特性を測定値として読み取ることができる物理信号に変換する方法は当技術分野で周知であり、たとえばEP
0 821 234、EP 0 974 303およびUS 2005/0023152に記載されている。ある態様において
、電気化学的特性には分析物の濃度の指標となる電流測定応答または電量測定応答が含まれる。たとえば、U.S. Pat. No. 5,108,564、4,919,770および6,054,039を参照。
【００３０】
本明細書中で用いる用語“酸化還元等価物(redox equivalent)”は、当業者に周知の酸化還元化学において慣用される概念に関する。ある態様において、この用語は、オキシドレダクターゼの基質から酸化還元補因子へ、および／またはその酸化還元補因子から酸化還元メディエーターへ、および／またはその酸化還元メディエーターから指示化合物および／または電極へ伝達される、電子に関する。
【００３１】
ある態様において、化学マトリックスは少なくとも１つの電極と接触する電気化学的な化学マトリックスである。適切な電極、電極セットアップ、電気化学検査用の化学マトリックスの適切なさらなる化合物、およびそれの操作モードは当業者に周知であり、たとえば、WO 2007/071562 A1、US 2009/0198117 A1、WO 2007/071562 A1、WO 2014/001382 A1、およびそれらに引用された参考文献に記載されている。本発明によれば、電気化学検査用の化学マトリックスは、分析物と反応して被験試料流体中に分析物が存在することを表わす電気化学信号を発生するための１種類以上の作用剤を含むものとする。本発明による化学マトリックスが１より多い層、またはある態様においては１つの層を保有できることは当業者により理解される。適切な層セットアップは当技術分野で周知である。
【００３２】
ある態様において、化学マトリックスはさらに、酸化還元等価物の存在下で少なくとも１つの電気化学的特性の変化を誘発できる酸化還元補因子および／または指示試薬を含む。
【００３３】
本明細書中で用いる用語“酸化還元補因子(redox cofactor)”は、酵素により伝達された酸化還元等価物、特にハイドライド（Ｈ−）に対する受容体として作用できる分子を表わす。ある態様において、酸化還元補因子はピロロキノリンキノン(pyrrolo quinoline quinone)（ＰＱＱ，ＣＡＳ  ＮＯ：７２９０９−３４−３）、ニコチンアミドアデニンジ
ヌクレオチド（ＮＡＤ，ＣＡＳ  ＮＯ：５３−８４−９）、またはフラビンアデニンジヌクレオチド（ＦＡＤ，ＣＡＳ  ＮＯ：１４６−１４−５）である。本発明の検査化学マトリックス中に含有させる酸化還元補因子は意図するデヒドロゲナーゼの特性に依存することは理解されるであろう。たとえば、ＰＱＱを本発明の組成物中においてＰＱＱ依存性デヒドロゲナーゼと組み合わせ、ＮＡＤを本発明の組成物中においてＮＡＤ依存性デヒドロ
ゲナーゼと組み合わせ、ＦＡＤを本発明の組成物中においてＦＡＤ依存性デヒドロゲナーゼと組み合わせる。本発明による酸化還元補因子は、ある態様において、ＰＱＱ、ＮＡＤまたはＦＡＤの誘導体であってもよい。ＮＡＤの代表的誘導体はWO 2007/012494に開示されたものであり、それを開示されたＮＡＤ／ＮＡＤＨおよび／またはＮＡＤＰ／ＮＡＤＰＨ誘導体に関して本明細書に援用する。さらなる態様において、本発明による酸化還元補因子はWO 2007/012494に開示されたｃａｒｂａＮＡＤである。
【００３４】
本明細書中で用いる用語“酸化還元等価物の存在下で少なくとも１つの電気化学的特性の変化を誘発できる指示試薬”は、酸化還元等価物の存在下で少なくとも１つの測定可能な特性の変化、ある態様においては化学マトリックスの電気化学的特性として測定できる変化を生じることができる分子を表わす。
【００３５】
前記に述べた指示試薬は、ある態様において、直接的に、または間接的に、すなわちさらなるメディエーターを介して、酸化還元等価物を酸化還元補因子から電極へ伝達できる。後者の場合、酸化還元等価物は指示試薬から中間メディエーターへ伝達され、これはその後これらの酸化還元等価物を電極へ伝達する。１種類より多いメディエーターを使用できることは理解されるであろう。たとえば、試薬は酸化還元等価物を第１メディエーターへ伝達することができ、これがその後これらの酸化還元等価物を第２メディエーターへ伝達し、第２メディエーターが次いで酸化還元等価物を電極へ伝達する。そのようなメディエーターカスケードに２種類より多いメディエーターを使用できることは理解されるであろう。さらなる態様において、指示試薬は酸化還元等価物を酸化還元補因子から電極へ直接伝達できる。本発明に関して適用できるメディエーターは当技術分野で周知であり、たとえばフェリシアン化カリウム、キノン誘導体、ナイルブルー(Nile blue)（ＣＡＳ  ＮＯ：３６２５−５７−８）、メルドラブルー(Meldola’s blue)（ＣＡＳ  ＮＯ：７０５７−５７−０）、EP 1 457 572 B1に開示されたオスミウム錯体、遷移金属錯体、たとえばルテニウムヘキサミンクロリド、またはニトロソ−アニリン−誘導体を含む。
【００３６】
本発明の化学マトリックスのある態様において、化学マトリックスはさらに少なくとも１種類の安定剤、界面活性剤、膨潤剤、フィルム形成剤、酸化剤および／または固体粒子を含む。本発明の組成物中に用いるのに適した安定剤、界面活性剤、膨潤剤、フィルム形成剤、酸化剤，および／または固体粒子は当業者に知られている。ある態様において、少なくとも１種類の界面活性剤は下記のものからなる群から選択される：ナトリウム−Ｎ−メチル−Ｎ−オレオイルタウレート、Ｎ−オクタノイル−Ｎ−メチル−グルカミド、Ｍｅｇａ  ８（Ｎ−メチル−Ｎ−オクタノイルグルカミド）、スルホコハク酸ジオクチルナトリウム（ＤＯＮＳ）、Ｒｈｏｄａｐｅｘ（登録商標）（ある態様において、ＣＯ−４３３またはＣＯ−４３６）。ある態様において、少なくとも１種類の膨潤剤は下記のものからなる群から選択される：メチルビニルエーテル  無水マレイン酸  コポリマー、キサンタンガム、およびメチルビニルエーテル  マレイン酸  コポリマー。ある態様において、少なくとも１種類のフィルム形成剤は下記のものからなる群から選択される：ポリプロピオン酸ビニル分散液、ポリビニルエステル、ポリ酢酸ビニル、ポリアクリル酸エステル、ポリメタクリル酸、ポリビニルアミド、ポリアミド、ポリスチレン；たとえばブタジエン、スチレンまたはマレイン酸エステルの混合重合体も適している。ある態様において、少なくとも１種類の固体粒子は下記のものからなる群から選択される：シリカ粒子、特に二酸化ケイ素、ケイ酸ナトリウムまたはケイ酸アルミニウム、けいそう土、金属酸化物、特に酸化チタンおよび／または酸化アルミニウム、合成酸化物材料、特に酸化物材料のナノ粒子、たとえば二酸化ケイ素、酸化アルミニウム、または酸化チタン、カオリン、粉末ガラス、非晶質シリカ、硫酸カルシウム、および硫酸バリウム。
【００３７】
本発明による化学マトリックスは、ある態様において、化学マトリックスの成分をまず溶媒または溶媒混合物に溶解することにより得ることができる。さらなる態様において、
その溶媒または溶媒混合物を、その後、残りの組成物が本質的にその溶媒または溶媒混合物を含まないように適切な処理により除去する。ある態様において本発明により考慮される適切な処理には、熱処理、蒸発法、凍結乾燥などが含まれる。ある態様において、考慮される処理は熱処理、特に下記の条件下での熱処理である：約６０℃以上で約２０〜４５分間、または約９５℃で約１〜２分間、熱循環下での熱処理；化学マトリックスの厚さ２０〜２００マイクロメーター以下；１バールまたは０．１バールの圧力。さらに、化学マトリックスを乾燥条件下に維持するために、ある態様において、貯蔵を乾燥剤(drying agent、すなわちdesiccant)の存在下で実施することは理解されるであろう。適切な乾燥剤には、ある態様において、シリカゲル、ゼオライト、炭酸カルシウムまたは硫酸マグネシウムが含まれる。
【００３８】
本明細書中で用いる用語“活性化学マトリックス”は、分析物の存在下で酵素活性を含む、本明細書中で特定する本発明の化学マトリックスに関する。したがって、用語“不活性化学マトリックス”は、その分析物の存在下でその酵素活性を含まない、本発明の化学マトリックスに関する。本発明の不活性化学マトリックスは、少なくとも本明細書中で述べる指示試薬を、ある態様においてはそれが活性化学マトリックス中に存在するものと同じ濃度で含み、かつ活性化学マトリックスと類似する粘度、ある態様においては同じ粘度をもつ。さらなる態様において、不活性化学マトリックスは、活性化学マトリックスと同じ酸化還元補因子を、ある態様においてはそれが活性化学マトリックス中に存在するものと同じ濃度で含む。さらに、さらなる態様において、不活性化学マトリックスは、活性化学マトリックスと同じフィルム形成剤を、ある態様においてはそれが活性化学マトリックス中に存在するものと同じ濃度で含む。干渉補償(interferece compensation)が可能な限り完全であるためには、本発明の酵素活性の存在または非存在を別として、活性化学マトリックスと不活性化学マトリックスが一般に可能な限り類似していることは当業者に理解される。本発明の不活性化学マトリックスは活性化学マトリックスと類似の拡散特性、または同じ拡散特性すらもつことができる。したがって、ある態様において、活性化学マトリックスの組成は、活性化学マトリックスにおけるその酵素活性の存在のみによって不活性化学マトリックスの組成と異なる。同様に、ある態様において、活性化学マトリックスはその酵素活性を保有するポリペプチドを含み、不活性化学マトリックスはその酵素活性を保有しないポリペプチドを含む。さらなる態様において、その酵素活性を保有しないポリペプチドはその酵素活性を保有するポリペプチドの不活性形態である。さらなる態様において、その酵素活性を保有しないポリペプチドは、触媒として不活性なポリペプチド、たとえばウシ血清アルブミンである。
【００３９】
ある態様において、活性化学マトリックスおよび不活性化学マトリックスは、被験試料を適用した後に第１電極および第２電極ならびに活性化学マトリックスおよび不活性化学マトリックスを包含する電気回路を閉じることができるように、センサー素子中に配置される。ある態様において、活性化学マトリックスと不活性化学マトリックスは互いに隣接して配置される。さらなる態様において、活性化学マトリックスと不活性化学マトリックスは、両方の化学マトリックスが被験試料により同時に湿潤するように互いに隣接して配置される。さらなる態様において、活性化学マトリックスと不活性化学マトリックスは、本明細書のいずれかの箇所に記載するように対面配置で配置される。
【００４０】
本明細書中で用いる用語“酵素活性”は、生体分子、ある態様においては生体高分子、さらなる態様においてはポリペプチドが、化学反応を触媒する活性に関する。ある態様において、酵素活性はオキシドレダクターゼ活性、さらなる態様においてはデヒドロゲナーゼ活性である。本明細書中で用いる用語“デヒドロゲナーゼ活性”は、本明細書中でいずれかの箇所に述べるように、１工程機序でハイドライド（Ｈ−）を、または２工程機序でＨ＋／ｅ−を、酸化還元等価物として酸化還元補因子へ、またはそれから伝達することにより、基質の酸化または還元を触媒する酵素活性を表わす。ある態様において、デヒドロ
ゲナーゼ活性は、本明細書中でいずれかの箇所に述べるように、ハイドライド（Ｈ−）を酸化還元等価物としてアクセプター分子へ、ある態様においては酸化還元補因子へ伝達することにより、基質の酸化を触媒する。代表的なデヒドロゲナーゼ活性は、酸化還元補因子（または時には補酵素と呼ぶ）、たとえばピロロキノリンキノン（ＰＱＱ）、ニコチンアミド−アデニン−ジヌクレオチド（ＮＡＤ）もしくはその誘導体、またはフラビン補因子、たとえばフラビン−アデニン−ジヌクレオチド（ＦＡＤ）もしくはフラビン  モノヌクレオチド（ＦＭＮ）に依存するものである。代表的なデヒドロゲナーゼ活性は、特に酵素である乳酸デヒドロゲナーゼ（ＥＣ番号１．１．１．２７または１．１．１．２８）、グルコースデヒドロゲナーゼ（後記を参照）、アルコールデヒドロゲナーゼ（ＥＣ番号  ＥＣ番号１．１．１．１または１．１．１．２）、Ｌ−アミノ酸デヒドロゲナーゼ（ＥＣ番号１．４．１．５）、グリセリンデヒドロゲナーゼ（ＥＣ番号１．１．１．６）、マレイン酸デヒドロゲナーゼ（ＥＣ番号１．１．１．３７）、３−ヒドロキシ酪酸デヒドロゲナーゼ（ＥＣ番号１．１．１．３０）、ソルビトールデヒドロゲナーゼ（ＥＣ番号１．１．１．１４）、またはコレステロールデヒドロゲナーゼのものである。
【００４１】
さらなる態様において、デヒドロゲナーゼ活性はグルコースデヒドロゲナーゼの活性である。さらなる態様において、グルコースデヒドロゲナーゼは下記のものからなる群から選択される：グルコースデヒドロゲナーゼ（ＥＣ番号１．１．１．４７）、キノプロテイングルコースデヒドロゲナーゼ(quinoprotein glucose dehydrogenase)（ＥＣ番号１．１．５．２）、特にピロロキノリンキノン（ＰＱＱ）−依存性グルコースデヒドロゲナーゼ（ＥＣ番号１．１．５．２）、グルコース−６−リン酸デヒドロゲナーゼ（ＥＣ番号１．１．１．４９）、ニコチンアミドアデニンジヌクレオチド（ＮＡＤ）−依存性グルコースデヒドロゲナーゼ（ＥＣ番号１．１．１．１１９）およびフラビンアデニンジヌクレオチド（ＦＡＤ）−依存性グルコースデヒドロゲナーゼ（ＥＣ番号１．１．９９．１０）、またはその酵素活性変異体。
【００４２】
有利なことに、本発明の基礎となる研究において、２電極構造をもち、それらのうち一方は分析物の存在下で酵素活性を含む化学マトリックスに接触しており、それらのうち第２のものはその酵素活性を含まない化学マトリックスに接触しているセンサー素子を使用し、そしてある極性で電気パラメーターを一度測定し、続いて逆の極性で測定することにより、干渉、すなわちその分析物に対する酵素活性から生じるものではない信号を容易に補償できることが見出された。電極数の低減によって全体的な測定誤差が低減し、かつ製造の複雑さ、したがって製造コストも低減する。
【００４３】
前記で行なった定義は必要な変更を加えて下記にも適用できる。さらに以下において行なう追加の定義および説明も、必要な変更を加えて本明細書中に記載するすべての態様に適用される。
【００４４】
本発明はまた、被験試料中の少なくとも１種類の分析物を検出する方法であって、下記の工程を含む方法に関する：
ａ）被験試料を、（ｉ）その分析物の存在下で活性である酵素活性に依存して少なくとも１つの電気化学的特性を変化させる活性化学マトリックスに接触させ、活性化学マトリックスは第１電極に接触している；かつ（ｉｉ）不活性化学マトリックスに接触させ、不活性化学マトリックスは第２電極に接触している；
ｂ）第１電極および第２電極ならびに活性化学マトリックスおよび不活性化学マトリックスを含む電気回路を閉じ、続いてその少なくとも１つの電気化学的特性の第１値を決定する；
ｃ）ｂ）の電気回路の電気極性を逆転させ、続いてその少なくとも１つの電気化学的特性の第２値を決定する；そして
ｄ）第１値および第２値に基づいてその少なくとも１種類の分析物を検出する。
【００４５】
本発明の方法は、ある態様においてインビトロ法である。さらに、それは明白に前記に述べた工程に追加した工程を含むことができる。たとえば、さらなる工程はたとえば工程ａ）のための被験試料を得ること、あるいは工程ｂ）および／または工程ｃ）を反復することに関するものであってもよい。さらに、それらの工程のうち１以上を自動装置により実施することもできる。
【００４６】
用語“接触させる”は当業者に理解されており、２つの素子を物理的に接触させて、それらの素子またはその構成要素を相互作用させることに関する。
本発明の方法は、ある極性における少なくとも１つの電気化学的特性の数値の少なくとも１回の測定、および逆の極性におけるその少なくとも１つの電気化学的特性の数値の少なくとも１回の測定を必要とする。結果の精度を高めるためにその測定を反復できることは、当業者に理解される。さらに、追加工程、たとえばある態様においては１回以上の測定、および／または第１極性と第２極性での測定間における電圧フリー休止(voltage free break)を含むことができる。ある態様において、その休止は少なくとも０．５秒、さらなる態様においては少なくとも１秒、さらに、さらなる態様においては少なくとも２秒、またはさらなる態様においては少なくとも３秒、持続するように設定される。ある態様において、その測定および／または電圧フリー休止の時間範囲は０．１秒〜１０秒、さらなる態様においては１秒〜８秒、さらなる態様においては２〜５秒である。１回より多い測定サイクルを適用する場合、測定および／または電圧フリー休止もその測定サイクルに含めることができるのは当業者に理解される。
【００４７】
有利なことに、本発明の基礎となる研究において、第１極性と第２極性での測定間に電圧フリー休止を設ける工程を含む態様は、反応生成物、特に酸化還元生成物、ある態様においては酸化還元指示薬（単数または複数）を電極から拡散させることが見出された。よって、そのような休止を含めると、電極で形成された酸化還元生成物の逆反応により生じる電流が低減する；さもなければ、この電流は存在する可能性のある干渉化合物により誘導される電流に重なる可能性がある。
【００４８】
本発明によれば、目的とする分析物を検出するために、そのような第１値および第２値を用いて干渉を補償するのに適したいずれかの数学的および／または計測学的方法を使用できる；たとえば、特定対の第１値および第２値のための検量曲線のセットを樹立することができる；あるいは、バックグラウンド化学反応により発生した信号が測定デバイスにより補償されるように検出回路をセットアップすることができる。したがって、バックグラウンド化学反応から検出された値を必ずしも実際にユーザーまたは評価ユニットへ出力する必要はないであろう。ある態様において、分析物の検出は本発明方法に従って決定した第１値と第２値の差を計算することを含む。同様に、ある態様において、分析物の検出は測定値を検量データと比較することを含み、その検量データは、ある態様において、撹乱条件下で、すなわちある態様においては干渉化合物の存在下でトレーニングデータを決定することにより得られたものである。さらなる態様において、 分析物の検出は、第１
極性および第２極性を適用して測定した値の重み付き差(weighted difference)を計算す
ることを含み、その際、加重係数(weighting factor)は撹乱条件下で、すなわちある態様においては干渉化合物の存在下で検量データを決定することにより得られる。
【００４９】
ある態様において、本発明方法による分析物の検出は、電圧、さらなる態様においてはＤＣ電圧を印加することを含む。さらなる態様において、本発明方法による分析物の検出は、電圧の印加から生じる電流の測定を含む。第２極性で印加する電圧は、ある態様において、第１極性で印加した電圧±４０％、さらなる態様においては±２０％、またはさらに、さらなる態様においては±１０％に相当する。さらなる態様において、印加する電圧は両極性において同じ数値をもつ。
【００５０】
本発明の方法は特定した特徴を含むいずれかのデバイスを用いて実施できることは当業者に理解される。したがって、本発明の方法は、たとえばある態様において、２より多い電極をもつ一般的なテストストリップを用いて実施することもでき、それらのうち少なくとも１つは分析物の存在下で活性である酵素活性を含む化学マトリックスに接触しており、それらのうち少なくとも１つはその分析物の存在下で活性である酵素活性を含まない化学マトリックスに接触している。さらなる態様において、本発明の方法は本発明のセンサー素子を用いて実施される。
【００５１】
さらに、本発明は、被験試料中の少なくとも１種類の分析物を検出するための、下記のものを含む検査デバイスに関する：
ｉ）センサー素子のための容器：センサー素子は少なくとも２つの電極ならびに活性化学マトリックスおよび不活性化学マトリックスを含み、活性化学マトリックスはその分析物の存在下で活性である酵素活性に依存して少なくとも１つの電気化学的特性を変化させ、第１電極は活性化学マトリックスに接触しており；第２電極は不活性化学マトリックスに接触している；ならびに
ｉｉ）本発明の方法に従ってセンサー素子に含まれる少なくとも１種類の指示試薬の電気化学的特性を決定するための手段。
【００５２】
本明細書中で用いる用語“検査デバイス”は、原則として当技術分野で既知であるけれども分析物誘発による本明細書中で前記に特定した電気化学的特性の変化を本発明の方法に従って測定するように適合させた検査デバイスに関する。したがって、本発明の検査デバイスは、センサー素子のための少なくとも１つの容器、および分析物の存在下で変化する化学マトリックスの電気化学的特性を決定するための少なくとも１つの手段を含む；センサー素子は（ｉ）少なくとも２つの電極、ならびに（ｉｉ）活性化学マトリックスおよび不活性化学マトリックスを含み、活性化学マトリックスはその分析物の存在下で活性である酵素活性に依存して少なくとも１つの電気化学的特性を変化させ；そのセンサー素子において、第１電極は活性化学マトリックスに接触しており；第２電極は不活性化学マトリックスに接触している。ある態様において、本発明の検査デバイスは本発明のセンサー素子のための少なくとも１つの容器を含む。ある態様において、検査デバイスはさらに電源ユニット、ある態様においては電圧源、たとえばある態様においては電池および／または蓄電池、および／または電流計を含む。ある態様において、検査デバイスは診断検査デバイスである。ある態様において、検査デバイスはさらに、周囲パラメーターを決定するための少なくとも１つのセンサーを含む。さらなる態様において、検査デバイスはさらに、周囲温度を決定するための少なくとも１つの温度センサーを含む。同様に、ある態様において、検査デバイスは携帯用検査デバイスである。
【００５３】
用語“容器”は当業者に既知であり、検査デバイスの素子に関するものであって、少なくとも１つのセンサー素子を、ある態様においては本発明によるセンサー素子を受容する形状をもち、体液中の分析物を検出するのに適した１以上のコネクターおよび／または接点を備えており、ある態様においては体液の被験試料を検査素子に適用できる少なくとも１つの適用位置に検査素子を配置するように適合させたものである。検査素子容器の具体的態様は、検査素子の種類およびそれに用いる検査化学の種類に依存するであろう。よって、一例として、検査素子容器は下記のうち１以上であってもよく、あるいはそれを含むこともできる：少なくとも１つの検査素子を、ある態様においてはストリップ状検査素子を完全または部分的に挿入するためのスロット；少なくとも１つの検査素子を完全または部分的に受容するための、ハウジング内の開放空間；１以上の検査素子を受容するためのマガジン（収納庫）(magazine)；１以上の検査素子を保持および／または移動させるためのガイド(guiding)。
【００５４】
特定した特徴を含むいずれかのセンサー素子との組合わせで用いるように本発明の検査デバイスを適合できることは当業者に理解される。したがって、本発明の検査デバイスは、たとえば２より多い電極をもち、それらのうち少なくとも第１電極は活性化学マトリックスと接触しており、それらのうち少なくとも第２電極は不活性化学マトリックスと接触している一般的なテストストリップとの組合わせで用いるように適合させることもできる。さらなる態様において、本発明の検査デバイスは本発明のセンサー素子との組合わせで用いるように適合している。
【００５５】
さらに、本発明は下記のものを含む検査システムに関する：
ｉ）少なくとも２つの電極ならびに活性化学マトリックスおよび不活性化学マトリックスを含むセンサー素子：活性化学マトリックスはその分析物の存在下で活性である酵素活性に依存して少なくとも１つの電気化学的特性を変化させ、第１電極は活性化学マトリックスに接触しており；第２電極は不活性化学マトリックスに接触している；ならびに
ｉｉ）ａ）のセンサー素子のための容器、および本発明の方法に従ってセンサー素子に含まれる少なくとも１種類の指示試薬の電気化学的特性を決定するための手段を含む、検査デバイス。
【００５６】
また、本発明は、少なくとも１種類の分析物を検出するための、本発明によるセンサー素子、本発明によるデバイス、および／または本発明によるシステムの使用に関する。
本発明はさらに、そのプログラムをコンピューターまたはコンピューターネットワークで実行した際に本発明による方法を本明細書に含まれる態様のうち１以上で実施するためのコンピューター実行可能な指示を含む、コンピュータープログラムを開示および提唱する。具体的には、コンピュータープログラムをコンピューター可読データキャリアに記憶させることができる。よって、具体的には、前記で指示した方法の工程ａ）〜ｄ）のうち１つ、１より多数、または全部ですら、コンピューターまたはコンピューターネットワークを用いて、ある態様においてはコンピュータープログラムを用いて実施できる。
【００５７】
本発明はさらに、そのプログラムをコンピューターまたはコンピューターネットワークで実行した際に本発明による方法を本明細書に含まれる態様のうち１以上で実施するための、プログラムコード手段を備えたコンピュータープログラムプロダクトを開示および提唱する。具体的には、プログラムコード手段をコンピューター可読データキャリアに記憶させることができる。
【００５８】
さらに、本発明はデータ構造がそれに記憶されたデータキャリアを開示および提唱し、それはコンピューターまたはコンピューターネットワークに、たとえばコンピューターまたはコンピューターネットワークのワーキングメモリーまたはメインメモリーにローディングした後、本明細書に開示する態様のうち１以上による方法を実行できる。
【００５９】
本発明はさらに、そのプログラムをコンピューターまたはコンピューターネットワークで実行した際に本明細書に開示する態様のうち１以上による方法を実施するための、プログラムコード手段が機械可読キャリアに記憶されたコンピュータープログラムプロダクトを開示および提唱する。本明細書中で用いるコンピュータープログラムプロダクトは、販売製品としてのプログラムを表わす。その製品は一般に任意のフォーマットで、たとえばペーパーフォーマットで、またはコンピューター可読データキャリアに存在することができる。具体的には、コンピュータープログラムプロダクトをデータネットワーク上に配布することができる。
【００６０】
最後に、本発明は、コンピューターシステムまたはコンピューターネットワークで読み取ることができる本明細書に開示する態様のうち１以上による方法を実施するための指示を含む、変調データ信号を提唱および開示する。
【００６１】
ある態様において、本発明のコンピューター実装観点に関して、本明細書に開示する態様のうち１以上による方法の工程のうち１以上または全部ですら、コンピューターまたはコンピューターネットワークを用いて実施できる。よって一般に、データのプロビジョンおよび／または操作を含むいずれの工程も、コンピューターまたはコンピューターネットワークを用いて実施できる。一般に、これらの工程は、一般にマニュアル作業を必要とする工程、たとえば被験試料の供給および／または実際の測定を実施する特定の観点を除いて、いずれの工程も含むことができる。
【００６２】
具体的には、本発明はさらに下記のものを開示する：
−  少なくとも１つのプロセッサーを含むコンピューターまたはコンピューターネットワークであって、そのプロセッサーが本明細書に開示する態様の１つによる方法を実施するように適合されたもの；
−  コンピューターローディング可能なデータ構造であって、そのデータ構造をコンピューターで実行した際に本明細書に記載する態様の１つによる方法を実施するように適合させたもの；
−  コンピュータープログラムであって、そのプログラムをコンピューターで実行した際に本明細書に記載する態様の１つによる方法を実施するように適合されたコンピュータープログラム；
−  プログラム手段を含むコンピュータープログラムであって、そのコンピュータープログラムをコンピューターまたはコンピューターネットワークで実行した際に本明細書に記載する態様の１つによる方法を実施するためのもの；
−  上記の態様によるプログラム手段を含むコンピュータープログラムであって、そのプログラム手段がコンピューター可読記憶媒体に記憶されたもの；
−  記憶媒体であって、データ構造がその記憶媒体に記憶され、そのデータ構造がコンピューターまたはコンピューターネットワークのメイン記憶および／またはワーキング記憶にローディングされた後、本明細書に記載する態様の１つによる方法を実施するように適合されたもの；ならびに
−  プログラムコード手段を備えたコンピュータープログラムプロダクトであって、そのプログラムコード手段は記憶媒体に記憶でき、または記憶されており、そのプログラムコード手段をコンピューターまたはコンピューターネットワークで実行した場合に本明細書に記載する態様の１つによる方法を実施するためのもの。
【００６３】
本明細書に引用するすべての参考文献を、それらの開示内容全体および本明細書に具体的に述べた開示内容に関して本明細書に援用する。
本発明の知見をまとめると、下記の態様が考慮される：
態様１：  少なくとも１種類の分析物を決定するためのセンサー素子であって、一対の電極ならびに少なくとも活性化学マトリックスおよび不活性化学マトリックスを含み、活性化学マトリックスはその分析物の存在下で活性である酵素活性に依存して少なくとも１つの電気化学的特性を変化させ、
（ｉ）電極対は他の電極から電気絶縁された２つの電極からなり、
（ｉｉ）活性化学マトリックスはその酵素活性を含み、不活性化学マトリックスはその酵素活性を含まず、かつ
（ｉｉｉ）電極対の第１電極は活性化学マトリックスに接触しており、電極対の第２電極は不活性化学マトリックスに接触している。
【００６４】
態様２：  活性化学マトリックスの組成がその酵素活性の存在によってのみ不活性化学マトリックスの組成と異なる、態様１のセンサー素子。
態様３：  活性化学マトリックスはその酵素活性を保有するポリペプチドを含み、不活性化学マトリックスはその酵素活性を保有しないポリペプチドを含む、態様１または２の
センサー素子。
【００６５】
態様４：  その酵素活性を保有しないポリペプチドはその酵素活性を保有するポリペプチドの不活性形態である、態様３のセンサー素子。
態様５：  厳密に一対の電極を含む、態様１〜４のいずれか１つのセンサー素子。
【００６６】
態様６：  少なくとも１種類の分析物がグルコースである、態様１〜５のいずれか１つのセンサー素子。
態様７：  その酵素活性を保有するポリペプチドがグルコースデヒドロゲナーゼである、態様１〜６のいずれか１つのセンサー素子。
【００６７】
態様８：  化学マトリックスがさらに少なくとも１種類の酸化還元補因子を含む、態様１〜７のいずれか１つのセンサー素子。
態様９：  センサー素子が対面センサー素子である、態様１〜８のいずれか１つのセンサー素子。
【００６８】
態様１０：  被験試料中の少なくとも１種類の分析物を検出する方法であって、下記の工程を含む方法：
ａ）被験試料を、（ｉ）その分析物の存在下で活性である酵素活性に依存して少なくとも１つの電気化学的特性を変化させる活性化学マトリックスに接触させ、活性化学マトリックスは第１電極に接触している；かつ（ｉｉ）不活性化学マトリックスに接触させ、不活性化学マトリックスは第２電極に接触している；
ｂ）第１電極および第２電極ならびに活性化学マトリックスおよび不活性化学マトリックスを含む電気回路を閉じ、続いてその少なくとも１つの電気化学的特性の第１値を決定する；
ｃ）ｂ）の電気回路の電気極性を逆転させ、続いてその少なくとも１つの電気化学的特性の第２値を決定する；そして
ｄ）第１値および第２値に基づいてその少なくとも１種類の分析物を検出する。
【００６９】
態様１１：  少なくとも１種類の分析物の検出が、工程ｂ）で決定した第１値と工程ｃ）で決定した第２値の差を計算することを含む、態様１０の方法。
態様１２：  工程ｂ）が、電気回路に電圧を印加することを含む、態様１０または１１の方法。
【００７０】
態様１３：  工程ｃ）が、工程ｂ）の電圧に対して逆の電圧を電気回路に印加することを含む、態様１２の方法。
態様１４：  工程ｂ）で印加した電圧が工程ｃ）で印加した電圧レベルと本質的に同じである、態様１０〜１３のいずれか１つの方法。
【００７１】
態様１５：  被験試料中の少なくとも１種類の分析物を検出するための、下記のものを含む検査デバイス：
ｉ）センサー素子のための容器：センサー素子は少なくとも２つの電極ならびに活性化学マトリックスおよび不活性化学マトリックスを含み、活性化学マトリックスはその分析物の存在下で活性である酵素活性に依存して少なくとも１つの電気化学的特性を変化させ、第１電極は活性化学マトリックスに接触しており；第２電極は不活性化学マトリックスに接触している；ならびに
ｉｉ）態様１０〜１４のいずれか１つによる方法に従ってセンサー素子に含まれる少なくとも１種類の指示試薬の電気化学的特性を決定するための手段。
【００７２】
態様１６：  下記のものを含む検査システム：
（ｉ）少なくとも２つの電極ならびに活性化学マトリックスおよび不活性化学マトリックスを含むセンサー素子：活性化学マトリックスはその分析物の存在下で活性である酵素活性に依存して少なくとも１つの電気化学的特性を変化させ、第１電極は活性化学マトリックスに接触しており；第２電極は不活性化学マトリックスに接触している；ならびに
（ｉｉ）ａ）のセンサー素子のための容器、および態様１０〜１４のいずれか１つの方法に従ってセンサー素子に含まれる化学マトリックスの電気化学的特性を決定するための手段を含む、検査デバイス。
【００７３】
態様１７：  センサー素子が態様１〜９のいずれか１つのセンサー素子である、態様１６のシステム。
態様１８：  少なくとも１種類の分析物を検出するための、態様１〜９のいずれか１つによるセンサー素子、態様１５による検査デバイス、または態様１６もしくは１７による検査システムの使用。
【００７４】
態様１９：  センサー素子が基準電極を含まない、態様１〜９のいずれか１つのセンサー素子。
態様２０：  （ｉ）電極対の第１電極といずれかの追加電極との間の抵抗、および（ｉｉ）電極対の第２電極といずれかの追加電極との間の抵抗が、両方とも、被験試料をセンサー素子に適用した後に少なくとも２５ｋΩになるように、電極対はセンサー素子に存在する可能性のあるいずれの追加電極からも電気絶縁されている、態様１〜９および１９のいずれか１つのセンサー素子。
【００７５】
態様２１：  態様１〜９および１９〜２０のいずれか１つによるセンサー素子を用いて実施される、態様１０〜１４のいずれか１つの方法。
【図面の簡単な説明】
【００７６】
本発明のさらなる任意選択的な特徴および態様をより詳細に以下の態様の記載に開示する。当業者に認識されるように、それらにおいてそれぞれの任意選択的な特徴、たとえば従属請求項に記載したものを、単独様式で、およびいずれか任意の実施可能な組合わせで実現できる。本発明の範囲はそれらの例に記載した態様によって限定されない。それらの態様を図面に模式的に示す。それらにおいて同一の参照番号は同一または機能的に同等の素子を表わす。
【図１】図１は、本発明によるセンサー素子の代表的態様の模式図を示す；Ａ：上面図、Ｂ：軸Ａ−Ａ’に沿った断面図。
【図２】図２は、本発明によるセンサー素子の他の代表的態様の上面模式図を示す。
【図３】図３は、ポテンショスタット(potentiostat)に接続した対面電極セットアップの断面模式図を示す。
【図４】図４は、本発明の検査システムおよび検査デバイスの代表的態様の断面模式図を示す。
【図５】図５は、本発明の干渉補償型測定の基礎となる原理の模式図を示す；ＥＭ：指示試薬（電子メディエーター(electro-mediator)）、ＩＦ：干渉化合物(interfering compound)（酸化還元活性）；干渉化合物の関与は両極性において同じであり、これに対しグルコースのみが正電圧を印加した場合に測定される電流に関与する。
【図６】図６は、本発明による検査素子上の２電極間に指示した電圧を印加した後に測定された電流を表わすグラフを示す。ｘ軸：時間（ｔ）秒，ｙ軸：測定した電流（Ａ）μＡまたは印加した電圧（Ｕ）ｍＶ。点線：印加した電圧；実線：１２０ｍｇ／ｄＬのグルコースを試料として用いて測定した電流；破線：３０ｍｇ／ｄＬのグルコース＋３０ｍｇ／ｄＬのアスコルビン酸を含む溶液を試料として用いて測定した電流。
【図７】図７は、本発明による検査素子上の２電極間に指示した電圧を印加した後に測定された電流を表わすグラフを示す。ｘ軸：印加した電圧（Ｕ）ｍＶ，ｙ軸：測定した電流（Ｉ）μＡ。サンプリング時間ｔ＝５秒；試料：三角：グルコース（６００ｍｇ／ｄＬ）；菱形：アスコルビン酸（１００ｍｇ／ｄＬ）。それぞれの試料について２つのテストストリップを測定した。
【図８】図８は、本発明による検査素子上の２電極間に指示した電圧を印加して維持した後に測定された電流を表わすグラフを示す。ｘ軸：印加した時間（ｔ）ミリ秒，ｙ軸：測定した電流（Ｉ）μＡ；菱形：１２０ｍｇ／ｄＬのグルコースを試料として用いて測定した電流；三角：３０ｍｇ／ｄＬのグルコース＋３０ｍｇ／ｄＬのアスコルビン酸を含む溶液を試料として用いて測定した電流。
【発明を実施するための形態】
【００７７】
図１に、センサー素子１１０の代表的態様の模式図を描く。この代表的態様において、センサー素子１１０はテストストリップとしてデザインされている。しかし、さらに、または代わりに、他のタイプのセンサー素子１１０、たとえばテストテープおよび／またはテストディスクを用いてもよい。
【００７８】
上記に概説したセンサー素子１１０は、活性化学マトリックス１１６に接触した少なくとも１つの第１電極１１２；および不活性化学マトリックス１１８に接触した少なくとも１つの第２電極１１４を含む。第１電極１１２および第２電極１１４は両方とも、支持層としての基材１２４上にある。センサー素子１１０が閉鎖形態の態様であってもよいことは当業者に理解される；その場合、センサー素子は被験試料１２６を活性化学マトリックス１１６および不活性化学マトリックス１１８へガイドするキャピラリー素子を含む。活性化学マトリックス１１６と不活性化学マトリックス１１８は互いに直接接触していてもよく（図１および２に示すように）、あるいは本発明の別態様においては互いに離れていてもよい。第１電極１１２は、第１電極の活性化学マトリックス１１６により覆われていない末端に接点素子１２０を含む。第２電極１１４は、第２電極の不活性化学マトリックス１１８により覆われていない末端に接点素子１２２を含む。これらの接点素子１２０、１２２は、センサー素子１１０を分析物測定のための測定ユニットへ導電接続するために使用できる。
【００７９】
図２に描く代表的センサー素子１１０は、図１に示した代表的センサー素子と同じ素子を含む。しかし、それらの素子の空間配置が異なる。
図３に、センサー素子１１０の他の代表的態様の断面模式図を描く。この代表的態様において、センサー素子１１０は対面構造でデザインされている。対面センサー素子１１０は、図１または２のセンサー素子と同じ素子を含むが、活性化学マトリックス１１６に接触した第１電極１１２と不活性化学マトリックス１１８に接触した第２電極１１４は、向き合った方向に配置されている。第１電極１１２および第２電極１１４は両方とも、それらの各支持層としての基材１２４上にある。試料は第１電極１１２と第２電極１１４の間の試料チャンバー１５４内に置くことができ、電極１１２、１１４の両方と接触する。試料チャンバーは、試料が毛管作用により試料チャンバーに流入してそれを満たすことができるキャピラリー寸法をもつことができる。ポテンショスタット１５２を用いて、規定した極性および大きさの電圧を第１電極１１２および第２電極１１４に印加する。
【００８０】
図４に、本発明による検査デバイス１３２および検査システム１３０の態様の断面図を描く。検査デバイス１３２は、ある態様において、携帯用デバイスとしての形態をもつ。検査デバイス１３２は、ある態様においてはケーシング１５０を含み、それは人が持ち運ぶために１０００ｃｍ３未満、ある態様においては５００ｃｍ３未満の容積をもつことができる。検査デバイス１３２は、検査デバイス１３２のほかに検査システム１３０の構成要素を形成するセンサー素子１１０を受容するための容器１４６を含む。容器１４６は、体液の被験試料１２６をセンサー素子１１０に適用できる少なくとも１つの適用位置にセンサー素子１１０を置くように適合されている。
【００８１】
検査デバイス１３２は、さらに、センサー素子１１０に含まれる活性化学マトリックス１１６および不活性化学マトリックス１１８の電気化学的特性における変化を測定する測定ユニット１４８を含む。この目的のために、測定ユニットは、第１電極の接点素子１２０および第１電極の接点素子を接続する接点素子１３８を介して第１電極１１２に導電接続し、第２電極の接点素子１２２および第２電極の接点素子を接続する接点素子１４０を介して第２電極１１４に導電接続している。
【００８２】
検査デバイス１３２はさらに、測定ユニット１４８により測定した数値を用いて分析物の濃度を決定するように適合させた少なくとも１つの評価ユニット１４４を含む。評価ユニット１４４は、ある態様において、少なくとも１つのデータプロセシングデバイス、たとえば少なくとも１つのコンピューターおよび／または少なくとも１つの特定用途向け集積回路であってもよく、あるいはそれを含むこともできる。一例として、評価ユニット１４４はマイクロコンピューターを含むことができる。さらに、評価ユニット１４４は１以上のさらなる素子、たとえば少なくとも１つのデータ記憶デバイスおよび／または他の素子を含むことができる。
【００８３】
評価ユニット１４４は、たとえば測定ユニット１４８からの測定値を受信するために、測定ユニット１４８に一方向または２方向接続している。さらに、評価ユニット１４４は、たとえば測定ユニット１４８により行なわれる測定プロセスを制御するために、検査デバイス１３２の全般的機能性を制御するように適合させることができる。
【００８４】
検査デバイス１３２はさらに、１以上の人間−機械−インターフェイス、たとえば少なくとも１つのディスプレイ１３６、および／または少なくとも１つの制御素子１３４、たとえば少なくとも１つのプッシュボタンを含むことができる。素子１３４、１３６も評価ユニット１４４に接続させることができる。
【００８５】
検査デバイス１３２はさらに、データおよび／またはコマンドを１以上の外付けデバイスと一方向および／または２方向交換するための少なくとも１つのエレクトロニックインターフェイス１４２、たとえば無線および／または有線インターフェイスを含むことができる。
【００８６】
図５は、本発明の干渉補償型測定の基礎となる原理の模式図を示す。第１電極１１２は活性化学マトリックス１１６と接触しており、第２電極１１４は不活性化学マトリックス１１８と接触している。活性化学マトリックス１１６中で、グルコースが酵素グルコースデヒドロゲナーゼ（ＧＤＨ）により酸化されて還元型フラビン−アデニン−ジヌクレオチド（ＦＡＤ）を生成する；ＧＤＨが存在しない不活性化学マトリックス１１８中ではグルコースは酸化されず、還元型ＦＡＤは生成しない。よって、図５ａ）の極性ではグルコースおよび干渉化合物（ＩＦ）が指示試薬（電子メディエーター，ＥＭ）の還元、よって測定電流に関与する。これと対照的に、図５ｂ）の極性ではＩＦのみが電流に関与することができる。よって、干渉化合物の関与は両方の極性（＋５００ｍＶおよび−５００ｍＶ））において同じであるのに対し、グルコースは正電圧を印加した場合にのみ測定電流に関与する。
【００８７】
図６〜８のグラフは、本発明の干渉補償を実施する対面テストストリップの動的測定の結果を示す。このセットアップには、原則として、図３に模式的に描かれたセットアップに対応するディスポーザブル対面電極テストストリップを用いた：ポリエステルホイルを基材（支持体）１２４として用い、５０ｎｍのスパッターした金を第１および第２電極１１２、１１４として沈着させ、約５μｍの化学マトリックス１１６、１１８を適用した（乾燥後に測定した厚さ）。化学マトリックスは、当技術分野で既知の一般的な増粘剤、フ
ィルム形成剤、緩衝化合物、界面活性剤および安定剤などを含有していた；用いた酸化還元メディエーターはニトロソアニリンであった。活性化学マトリックス１１６中に用いた酵素はグルコースデヒドロゲナーゼ（ＧＤＨ）であり、ＦＡＤを補因子として用いた；不活性化学マトリックス１１８においては、ＧＤＨをアルブミンに置き換えた。試料チャンバーの寸法は０．２ｍｍ×２ｍｍ×１０ｍｍであった；したがって、第１電極１１２と第２電極１１４の間の距離は０．２ｍｍであった。
【実施例】
【００８８】
実施例１
図６の例において、三角波電圧信号(triangular voltage signal)を電極に印加する。
グルコース溶液とグルコースおよび干渉化合物アスコルビン酸を含有する溶液を用いた結果を比較する。酵素電極、すなわち活性化学マトリックスに接触している電極を正に分極させた場合、グルコースと干渉物質からの応答を識別できない。これに対し、逆の極性では、それを明瞭に分離できる。両方の極性からの電流応答を、被験物質（たとえば、グルコース）および干渉物質（たとえば、アスコルビン酸）を含有する適切な検量と組み合わせて分析することにより、干渉物質から大幅に独立した信号を計算することができる。
【００８９】
実施例２
図７は、干渉補償型の対面電極における統計学的電流−電圧実験の結果を示す。この場合、−６００から＋６００ｍＶまでの範囲で５０ｍＶ毎の異なる電圧について、その都度新たなディスポーザブルテストストリップで電流測定を実施した。用いた指示試薬はニトロソアニリン酸化還元指示薬であり、酵素はグルコースデヒドロゲナーゼであった。グルコース含有試料が酵素含有試薬と接触すると、ニトロソアニリンは還元されてフェニレンジアミンになり、それは正に分極した電極上で酸化可能である。酵素を含有しない第２電極では、ニトロソアニリンは負に分極した電極上で直接還元される。よって、この方向の電極分極については両方の電極が電子伝達を支持し、生じる電流を測定することができる。分極を逆転させると、負に帯電した電子のみがニトロソアニリンを還元することにより電子伝達を支持することができる。その時点で正に分極した無酵素電極にはフェニレンジアミンが存在せず、したがって電子伝達は支持されない。結果的に電流を測定できない。
【００９０】
グルコース含有試料の代わりにアスコルビン酸を用いて実験を繰り返した場合、両方向の分極について電流応答が受信される。ニトロソアニリンは、グルコース−デヒドロゲナーゼ酵素が存在するかどうかに関係なくアスコルビン酸により還元される。干渉物質が電極と直接相互作用し、酸化還元メディエーターと間接的に相互作用するのではない場合には、同じ干渉補償法を使用できる。両方の分極方向について干渉物質電極反応からの電流応答が測定されれば、それを適切なアルゴリズムおよび検量と組み合わせて用いて実際の分析試験（たとえば、グルコース濃度測定）を補正することができる。
【００９１】
実施例３
図８は、逆極性試験相を実施する検査シーケンスの例を示す。
検査シーケンスの最初の部分（図８の１０００ミリ秒〜４０００ミリ秒）では、極性は酵素含有電極を正に分極させる。印加電圧は＋５００ｍＶである。グルコース含有試料をテストストリップに添加すると、電流計電流応答を測定することができる。正電極上では、酵素反応により生成したフェニレンジアミンが電子を電極へ伝達する。負に分極した電極上では、ニトロソアニリンが還元されて電極から電子を受け取る。第２測定相（図８の４０００ミリ秒〜７０００ミリ秒）では、ゼロ電圧を電極に印加する。分極しなければ、用いた電極システムについて電極反応は起きない。したがって、酸化還元反応生成物が電極反応帯域から再拡散する時間があり、よって電極が逆の極性に分極した際に、第１工程で生成した反応生成物から生じる電流応答が最小限に抑えられる。第３電流測定工程（図８の７０００ミリ秒〜１００００ミリ秒）として、逆の極性を印加する（ここでは酵素含有電極により規定される作用電極に関して−５００ｍＶ）。この例では、グルコース含有試料溶液（１２０ｍｇ／ｄＬ）を、グルコースおよびアスコルビン酸含有試料（３０ｍｇ／ｄＬおよび３０ｍｇ／ｄＬ）について得られた結果と比較している。正分極（図８の１０００ミリ秒〜４０００ミリ秒）ではこれら２種類の試料を明瞭に識別できず、これに対し逆の極性（図８の７０００ミリ秒〜１００００ミリ秒）を用いると明瞭な差が見られることが分かる。
【００９２】
参照番号のリスト
１１０  センサー素子
１１２  第１電極
１１４  第２電極
１１６  活性化学マトリックス
１１８  不活性化学マトリックス
１２０  第１電極の接点素子
１２２  第２電極の接点素子
１２４  基材（支持体）
１２６  被験試料
１３０  検査システム
１３２  検査デバイス
１３４  制御素子
１３６  ディスプレイ
１３８  第１電極の接点素子を接続する接点素子
１４０  第２電極の接点素子を接続する接点素子
１４２  インターフェイス
１４４  評価ユニット
１４６  容器
１４８  測定ユニット
１５０  ケーシング
１５２  ポテンショスタット
１５４  試料チャンバー
【図１】
2020064070.tif 000003
【図２】
2020064070.tif 000004
【図３】
2020064070.tif 000005
【図４】
2020064070.tif 000006
【図５】
2020064070.tif 000007
【図６】
2020064070.tif 000008
【図７】
2020064070.tif 000009
【図８】
2020064070.tif 000010